(57)【要約】【課題】利便性が向上した端子装置を提供する。【解決手段】電線挿入穴１１を有するケース１と、ケース１に収納され電線挿入穴１１から挿入された電線が接続される複数個の導電ブロックとを備える。導電ブロックは、電線の側面に接触する接触部と、電線を接触部に押し付けるとともに電線に食い込んで抜け止めする鎖錠部とを有する。さらに、ケース１の外面に開口した解除穴１３０への進入量を変化させるようにケース１に対して変位可能に保持されケース１の内側へ押し込まれたときに複数個の導電ブロックの鎖錠部をそれぞれ押圧して弾性変形させることで抜け止めを解除する解除釦５０を備える。１個の解除釦５０の押操作で２個の導電ブロックにおける電線の接続が同時に解除されるから、解除釦５０と導電ブロックとが一対一に対応する場合に比べて利便性が向上する。【選択図】図１
2013235732.tif 000002
【特許請求の範囲】
【請求項１】
電線挿入穴を有するケースと、前記ケースに収納され前記電線挿入穴から挿入された電線が接続される複数個の導電ブロックとを備え、
前記導電ブロックは、前記電線の側面に接触する接触部と、前記電線を前記接触部に押し付けるとともに前記電線に食い込んで抜け止めする鎖錠部とを有し、
前記ケースの外面に開口した解除穴への進入量を変化させるように前記ケースに対して変位可能に保持され前記ケースの内側へ押し込まれたときに複数個の前記導電ブロックの前記鎖錠部をそれぞれ押圧して弾性変形させることで前記抜け止めを解除する解除釦を備えることを特徴とする端子装置。
【請求項２】
前記解除釦において前記解除穴の外側からの押力を受ける面には、前記複数個の導電ブロックが並ぶ方向での中央に向かって前記解除穴の奥側へ傾斜した傾斜部が設けられていることを特徴とする端子装置。
【発明の詳細な説明】
【技術分野】
【０００１】
本発明は、端子装置に関するものである。
【背景技術】
【０００２】
従来から、電線挿入穴を有するケースと、ケースに収納され電線挿入穴から挿入された電線が接続される導電ブロックとを備え、電線挿入穴に電線を挿入するだけで導電ブロックにより電線の抜け止めが達成される、いわゆる速結端子構造を有する端子装置が提供されている（例えば、特許文献１参照）。
【０００３】
すなわち、上記の導電ブロックは、電線の側面に接触する接触部と、電線を接触部に押し付けるとともに電線に食い込んで抜け止め（鎖錠）する鎖錠部とを有する。接触部と鎖錠部とは、１部品に構成される場合と別部品に構成される場合との両方が存在する。
【０００４】
また、上記の端子装置は、上記の鎖錠を解除するための解除釦を備える。解除釦は、ケースの外面に開口した解除穴への進入量を変化させるようにケースに対して変位可能に保持され、ケースの内側へ押し込まれたときに鎖錠部を押圧して接触部から離すように弾性変形させることで上記の鎖錠を解除する。
【先行技術文献】
【特許文献】
【０００５】
【特許文献１】特開２０１０−１６５５６８号公報
【発明の概要】
【発明が解決しようとする課題】
【０００６】
従来、上記の導電ブロックとして、電圧側極の導電ブロックと、接地側極の導電ブロックと、接地極の導電ブロックとを有する場合、解除釦は導電ブロック毎に設けられていた。すなわち、電圧側極に対応する解除釦のみが押操作された場合、電圧側極の導電ブロックでのみ鎖錠が解除され、他の導電ブロックにおける電線の鎖錠は解除されない。
【０００７】
しかしながら、電圧側極の電線と接地側極の電線とは１本のケーブル（例えばＶＶＦケーブル）に結束されていることが多い。従って、上記ケーブルの接続を解除する際には電圧側極の解除釦と接地側極の解除釦とを同時に押操作する必要があり、利便性が低かった。
【０００８】
本発明は、上記事由に鑑みて為されたものであり、その目的は、利便性が向上した端子装置を提供することにある。
【課題を解決するための手段】
【０００９】
本発明の端子装置は、電線挿入穴を有するケースと、前記ケースに収納され前記電線挿入穴から挿入された電線が接続される複数個の導電ブロックとを備え、前記導電ブロックは、前記電線の側面に接触する接触部と、前記電線を前記接触部に押し付けるとともに前記電線に食い込んで抜け止めする鎖錠部とを有し、前記ケースの外面に開口した解除穴への進入量を変化させるように前記ケースに対して変位可能に保持され前記ケースの内側へ押し込まれたときに複数個の前記導電ブロックの前記鎖錠部をそれぞれ押圧して弾性変形させることで前記抜け止めを解除する解除釦を備えることを特徴とする。
【００１０】
上記の端子装置において、前記解除釦において前記解除穴の外側からの押力を受ける面には、前記複数個の導電ブロックが並ぶ方向での中央に向かって前記解除穴の奥側へ傾斜した傾斜部が設けられていることが望ましい。
【発明の効果】
【００１１】
本発明によれば、解除釦によって同時に電線の抜け止めが解除される複数個の導電ブロックのうち１個を電圧側極として用い他の１個を接地側極として用いれば、１個の解除釦の押操作で電圧側極と接地側極との両方の電線の接続が解除されるから、解除釦と導電ブロックとが一対一に対応する場合に比べて利便性が向上する。
【図面の簡単な説明】
【００１２】
【図１】本発明の実施形態を示す斜視図である。
【図２】同上における解除釦を示す斜視図である。
【図３】同上の変更例における解除釦を示す正面図である。
【図４】本発明の比較例を示す斜視図である。
【図５】同上を示す分解斜視図である。
【図６】同上の解除釦がプラスドライバーによって押操作された状態を示す斜視図である。
【図７】同上を示す一部破断した斜視図である。
【図８】同上を示す断面図である。
【図９】同上において押釦が試験指によって押操作された状態を示す斜視図である。
【発明を実施するための形態】
【００１３】
本発明の実施形態について説明する前に、本発明と共通の基本構成を有する比較例について、図４〜図９を用いて説明する。
【００１４】
上記の比較例は、図４〜図６に示すように、電線挿入穴１１を有するケース１と、それぞれケース１に収納され電線挿入穴１１から挿入された電線６が接続される３個の導電ブロック２とを備える。導電ブロック２間は互いに絶縁されている。以下、図５に示すＡＢＣＤＥＦ方向を、それぞれ上下左右前後方向と呼ぶ。すなわち、上記の電線挿入穴１１は、導電ブロック２に一対一に対応して設けられ、ケース１の前面において左右に３個並んで開口しており、電線６は前方から挿入される。なお、上記の方向は説明の便宜上定義するものであって、実際の使用状態での方向とは必ずしも一致しない。
【００１５】
各電線挿入穴１１の開口の形状はそれぞれ左右に並ぶ２個の円形状を組み合わせた形状となっており、各電線挿入穴１１にはそれぞれ２本ずつの電線６を左右に並べて挿入可能となっている。互いに同じ電線挿入穴１１に挿入された電線６同士は、導電ブロック２を介して互いに電気的に接続される。導電ブロック２のうち、左端の導電ブロック２は電圧側極として用いられ、中央の導電ブロック２は接地側極として用いられ、右端の導電ブロック２は接地極として用いられる。
【００１６】
ケース１は、各導電ブロック２がそれぞれ収納される収納凹部３０が下面に開口したカバー３と、カバー３の下側に結合して収納凹部３０を閉塞するベース４とを備える。カバー３とベース４とはそれぞれ例えば合成樹脂のような絶縁材料からなる。ベース４の前面には、３個の係合凸部４１が左右に並べて前方に突設されている。また、カバー３の下端部の前面において、上記の係合凸部４１に対応する３箇所には、それぞれ貫通穴である係合穴３１が設けられている。すなわち、上記の各係合凸部４１がそれぞれ係合穴３１に係入することで、ベース４はカバー３に結合している。
【００１７】
また、ケース１は、例えば下面に設けられた凸部１５，１６（図７参照）を、取付面に設けられた凹部（図示せず）に嵌め込むことで、下面を取付面に当接させて取付面に対して固定される。
【００１８】
さらに、ケース１の後面には、各導電ブロック２に対応して２個ずつ計６個の第２電線挿入穴１２が、左右に並べて設けられている。第２電線挿入穴１２は、前面側の電線挿入穴（以下、「第１電線挿入穴」と呼ぶ。）１１に挿入される電線（以下、「第１電線」と呼ぶ。）６よりも径が細い第２電線（図示せず）が挿入されるものである。
【００１９】
各導電ブロック２は、それぞれ、金属板に打ち抜き加工と曲げ加工とが施されてなり、第１電線挿入穴１１から挿入された第１電線６が接続される第１電線接続部２１と、第２電線挿入穴１２から挿入された第２電線が接続される第２電線接続部２２とを有する。すなわち、この端子装置は、第１電線挿入穴１１に挿入された第１電線６と、第２電線挿入穴１２に挿入された第２電線とを、導電ブロック２を介して電気的に接続するものである。第１電線６は例えば電源側に接続され、第２電線は例えば負荷側に接続される。
【００２０】
第２電線接続部２２は、厚さ方向を上下方向に向け上面を第２電線の外周面に接触させる第２接触部２２１と、第２電線の外周面に上方から弾接することで第２電線を第２接触部２２１に押し付ける第２鎖錠部２２２とを有する。第２鎖錠部２２２は、第２電線挿入穴１２に一対一に対応して導電ブロック２毎に２個ずつ設けられている。詳しく説明すると、第２鎖錠部２２２は先端である下端に向かって前側（つまり第２電線挿入穴１２の奥側）へ傾斜しており、弾性変形していない状態での第２鎖錠部２２２の先端と第２接触部２２１との距離は第２電線の外径よりも小さくされている。すなわち、第２電線挿入穴１２に第２電線が挿入されると、第２鎖錠部２２２の先端が第２電線に食い込むことで第２電線に対する抜け止め（つまり鎖錠）がなされ、また、第２鎖錠部２２２のばね力によって第２電線が第１接触部２２１に押し付けられる。
【００２１】
第１電線接続部２１は、厚さ方向を上下方向に向け下面を第１電線６の外周面に接触させる第１接触部２１１と、第１電線６の外周面に下方から弾接することで第１電線６を第１接触部２１１に押し付ける第１鎖錠部２１２とを２組有する。詳しく説明すると、第１鎖錠部２１２は先端である上端に向かって後側（つまり第１電線挿入穴１１の奥側）へ傾斜している。そして、弾性変形していない状態での第１鎖錠部２１２において第１接触部２１１の下側に位置する部位と第１接触部２１１との距離は第１電線の外径に対して十分に小さくされている。すなわち、第１電線挿入穴１１に第１電線６が挿入されると、第１鎖錠部２１２が第１電線６に食い込むことで第１電線６に対する抜け止め（つまり鎖錠）がなされ、また、第１鎖錠部２１２のばね力によって第１電線６が第１接触部２１１に押し付けられる。
【００２２】
さらに、ケース１の上面において、各導電ブロック２の上側には、それぞれ１個ずつの解除穴１３が開口している。また、各解除穴１３内には、それぞれ１個ずつの解除釦５がケース１に対して上下に変位可能に保持されている。各解除釦５はそれぞれ例えば合成樹脂のような絶縁材料からなる。
【００２３】
詳しく説明すると、各解除釦５は、それぞれ、解除穴１３内に露出して上方からの押力を受ける本体部５１と、本体部５１の左右両端部からそれぞれ下方に突設された脚部５２とを有する。
【００２４】
また、第１鎖錠部２１２は、第１接触部２１１よりも左右方向の外側において延長された操作片２３を有する。各操作片２３の先端部は上面を凸曲面とするように曲げられており、図７及び図８に示すように解除釦５の各脚部５２はそれぞれ１個ずつの操作片２３の先端部の上記凸曲面に当接する。すなわち、解除釦５が上方からの押力を受けて図８に矢印Ａ１で示すようにケース１に対して下方に変位すると、該解除釦５に対応する２個の第１鎖錠部２１２はそれぞれ操作片２３において上方からの押力を受けて図８に矢印Ａ２で示すように第１接触部２１１から離れる方向に弾性変形する。この弾性変形が所定の程度に達すると、第１電線６に対する鎖錠が解除され、第１電線６を第１電線挿入穴１１から引き抜くことが可能となる。
【００２５】
また、解除釦５において、各脚部５２の前後両面には、それぞれ抜け止め凸部５３が突設されており、この抜け止め凸部５３が解除穴１３の下側開口の周縁部に対して下方から当接することで、ケース１から上方への解除釦５の脱落は防止されている。
【００２６】
ここで、本体部５１は、上方から見て、左右に長い長方形状の各長辺にそれぞれ２個ずつの係合凹部５１１が設けられた形状を有する。また、解除穴１３の内面には、それぞれ１個ずつの係合凹部５１１に係合する４個の係合凸部１３１が設けられている。なお、図６では上記の係合凹部５１１及び係合凸部１３１の図示は省略している。
【００２７】
図９に示すように試験指７０で解除穴１３が押操作された場合、第１電線６に対する鎖錠が解除される前に、試験指７０に解除穴１３の周縁部（例えば係合凸部１３１）が当接することで、それ以上の押操作が阻止される。なお、図９では、右端の解除釦５の図示は省略している。上記の試験指７０は、人の指を模した楔形の金属部材であり、具体的には「電気用品の技術上の基準を定める省令の解釈」の別表第四１（２）ハに掲げられたものである。上記のように解除穴１３の寸法形状が設計されていることにより、人の指での操作で第１電線６に対する鎖錠が誤って解除されることがない。すなわち、第１電線６に対する鎖錠の解除には、例えばマイナスドライバーや図６に示すプラスドライバー７１といった治具を用いる必要がある。各解除釦５の本体部５１の上面の中央部には、上記治具の先端部が係入する十字形状の操作凹部５１２が設けられている。
【００２８】
また、ケース１の上面において、各解除穴１３の左右方向（すなわち長手方向）の中央部の前後両側（つまり操作凹部５１２の前後両側）となる位置には、それぞれ前後方向（つまり解除穴１３の内外）に開放された退避溝１４が設けられている。解除釦５が押操作される過程でプラスドライバー７１等の治具が解除穴１３の短手方向である前後方向に傾けられた場合でも、治具は退避溝１４に入り込む形になるからケース１に当接しにくい。これにより、退避溝１４が設けられない場合に比べ、治具によるケース１の破損が発生しにくい。
【００２９】
次に、本発明を実施するための最良の形態について、図面を参照しながら説明する。
【００３０】
本実施形態の基本構成は上記比較例と共通であるので、共通する部分については説明を省略する。
【００３１】
本実施形態は、電圧側極として用いられる左端の導電ブロック２と、接地側極として用いられる中央の導電ブロック２とについて、上記比較例での２個の解除釦５が図１に示すように一体化された解除釦５０を有することを特徴とする。すなわち、図２に示すように、上記の解除釦５０は、上記比較例での解除釦５の２個分の寸法を有する本体部５１と、本体部５１の下方に左右に並べて設けられた４個の脚部５２とを有する。上記の解除釦５０の各脚部５２は、それぞれ、電圧側極の導電ブロック２の２個の操作片２３と、接地側極の導電ブロック２の２個の操作片２３との、合計４個の操作片２３のうち１個ずつを押圧する。また、上記の解除釦５０を露出させる解除穴１３０も、上記比較例における解除穴１３が２個連結された寸法形状とされている。
【００３２】
上記構成によれば、１個の解除釦５０の押操作で電圧側極と接地側極との両方の電線６の接続が解除されるから、上記比較例のように解除釦５と導電ブロック２とが一対一に対応する場合に比べて利便性が向上する。
【００３３】
ここで、２個の導電ブロック２に対応する上記の解除釦５０は、１個の導電ブロック２にのみ対応する解除釦５に比べ、左右方向（つまり複数個の導電ブロック２が並ぶ方向）での寸法がより大きく、長細い形状となっている。これにより、長手方向（左右方向）の端部が押操作された場合における解除釦５０の傾きに伴う引っかかり等がより発生しやすくなっている。そこで、図３に示すように、左右方向での中央に向かって下側（つまり解除穴１３０の奥側）へ傾斜した傾斜部５４を、解除釦５０の上面（つまり解除穴１３０の外側からの押力を受ける面）において操作凹部５１２の左右両側にそれぞれ設けてもよい。上記構成を採用すれば、治具により傾斜部５４が押操作された場合には上記の治具は傾斜部５４によりガイドされて中央部に導かれるから、傾斜部５４が設けられない場合に比べ、押操作による解除釦５０の傾きが発生しにくい。
【符号の説明】
【００３４】
１  ケース
２  導電ブロック
６  電線
１１  電線挿入穴
５０  解除釦
５４  傾斜部
１３０  解除穴
２１１  第１接触部
２１２  第１鎖錠部
【図１】
2013235732.tif 000003
【図２】
2013235732.tif 000004
【図３】
2013235732.tif 000005
【図４】
2013235732.tif 000006
【図５】
2013235732.tif 000007
【図６】
2013235732.tif 000008
【図７】
2013235732.tif 000009
【図８】
2013235732.tif 000010
【図９】
2013235732.tif 000011